(57)【特許請求の範囲】
【請求項１】
遊戯用具を保持する取り付け枠と、前記取り付け枠を支持する本体枠と、前記本体枠の所定高さ位置に前記取り付け枠を配置して支持する位置調整機構と、からなる遊戯用具の支持枠であって、
前記本体枠は、その上部側に垂直支持平面を有すると共に、下部側に前記垂直支持平面より前方に脚部を設け、
前記取り付け枠は、保持される前記遊戯用具の上端および下端を支持する上部フレームと下部フレームを有すること
を特徴とする遊戯用具の支持枠。
【請求項２】
前記位置調整機構は、前記本体枠および取り付け枠の互いに当接する位置に設けた位置調整孔と、
前記位置調整孔の合致位置で係合する係合手段と、
からなることを特徴とする請求項１に記載の遊戯用具の支持枠。
【請求項３】
前記位置調整機構の位置調整孔は、前記本体枠および取り付け枠の正面側に設けた位置調整部に形成してあること
を特徴とする請求項２に記載の遊戯用具の支持枠。
【請求項４】
前記位置調整機構の位置調整孔は、前記本体枠および取り付け枠の側面側に設けた位置調整部に形成してあること
を特徴とする請求項２に記載の遊戯用具の支持枠。
【発明の詳細な説明】
【０００１】
【発明の属する技術分野】
本発明は、パチンコ台やパチスロ台、或いはテレビゲーム機等の遊戯用具を支持する支持枠に係り、特に使用する遊戯用具の種類に合わせて設置高さを容易に調整できる遊戯用具の支持枠に関する。
【０００２】
【従来の技術】
一般に、パチンコ台やパチスロ台、或いはテレビゲーム機等の遊戯用具を支持する支持枠は、その遊戯場を開設する場合に、その配置に従って設けられた木製の支持枠が使用されていた。そして、一旦、支持枠にパチンコ台やパチスロ台、或いはテレビゲーム機等を保持してパチンコ島やパチスロ島、或いはテレビゲーム機島として構成すると、その島に設置された支持枠にパチンコ台やパチスロ台、或いはテレビゲーム機等を固定することになっていた。
【０００３】
【発明が解決しようとする課題】
しかしながら、上述した従来の支持枠は、例えば今までパチンコ台を固定していた支持枠に、パチンコ台を取り外してパチスロ台やテレビゲーム機等を取り付けることは、パチンコ台とパチスロ台やテレビゲーム機等の操作する操作盤の高さが異なるので、適正な高さに合うように支持枠の取り付け孔の高さを変えなければならず、そのためには、先ず、支持枠を改造した後にパチスロ台やテレビゲーム機等を取り付ける必要があった。ところが、この作業は手間と時間がかかるため、限られた時間内に行うことは非常に困難であり、そのため支持枠ごとにパチスロ台やテレビゲーム機等を取り替えてしまう場合がほとんどであった。そして、今まで使用していた支持枠は廃棄してしまうので、資源の無駄と経済的な無駄が発生するという問題があった。
【０００４】
また、単一の遊戯用具、例えばパチスロ台を遊戯場内に設置する場合であっても、パチスロ台の使用者が椅子に坐って使用する場合や、立ったまま使用する場合等、パチスロ台の操作位置によって設置高さを変える必要があり、その場合の高さ調整が困難であった。
さらに、支持枠は、支持されている同種の遊戯用具、例えば、パチスロ台の横に並んでいる配列の順序を変えたい場合に、簡単に対応できる支持枠が望まれていた。
【０００５】
本発明は、このような状況に鑑みなされたもので、構成が簡単で、形態の異なる遊戯用具の交換作業が容易で、その高さ調整を簡単に行うことができ、しかも支持枠の設置が容易で、かつ遊戯用具を横方向に容易に移動できる遊戯用具の支持枠を提供するものである。
【０００６】
【課題を解決するための手段】
上記の目的を達成するため、本発明は、遊戯用具を保持する取り付け枠と、前記取り付け枠を支持する本体枠と、前記本体枠の所定高さ位置に前記取り付け枠を配置して支持する位置調整機構と、からなる遊戯用具の支持枠であって、前記本体枠は、その上部側に垂直支持平面を有すると共に、下部側に前記垂直支持平面より前方に脚部を設け、前記取り付け枠は、保持される前記遊戯用具の上端および下端を支持する上部フレームと下部フレームを有して構成したものである。
また、前記位置調整機構は、前記本体枠および取り付け枠の互いに当接する位置に設けた位置調整孔と、前記位置調整孔の合致位置で係合する係合手段と、からなる構成としてもよい。
【０００７】
また、前記位置調整機構の位置調整孔は、前記本体枠および取り付け枠の正面側に設けた位置調整部に形成してあると都合がよい。
さらに、前記位置調整機構の位置調整孔は、前記本体枠および取り付け枠の側面側に設けた位置調整部に形成してもかまわない。
【０００８】
【発明の実施の形態】
本発明の実施の形態を図に基づいて説明する。
図１は本発明に係る遊戯用具の支持枠を示す斜視図、図２は、図１の支持枠の分解斜視図、図３は、図１の支持枠の上部の位置調整部を示す要部拡大の斜視図、図４は、図１の支持枠の下部の位置調整部を示す要部拡大の斜視図、図５は、図１の支持枠に遊戯用具を配設した状態を示す斜視図、図６は、支持枠の他の実施の形態を示す斜視図、図７は、図６の支持枠に遊戯用具を配設した状態を示す斜視図、図８は、支持枠の他の実施の形態を示す斜視図、図９は、図８の支持枠の分解斜視図である。
【０００９】
本発明に係る支持枠Ａは、図１または図２に示すように、床面に固定される本体枠１に、遊戯用具Ｇを保持する取り付け枠１０が、位置調整機構により所定高さ位置に取り付けられたもので、位置調整機構は、本体枠１側に設けられた上部の位置調整部４，５と下部の位置調整部６，７の複数の位置調整孔４ａ，５ａ，６ａ，７ａと、取り付け枠１０側に設けられた上部の取り付け部１５，１６と下部の取り付け部１７，１８の取り付け孔１５ａ，１６ａ，１７ａ，１８ａと、前記位置調整孔４ａ，５ａ，６ａ，７ａと取り付け孔１５ａ，１６ａ，１７ａ，１８ａの合致位置で係合する係合手段のボルト８とナット９から構成されている。
【００１０】
本体枠１は、図２に示すように、上部側に垂直支持平面を有する矩形の本体フレーム２に、図の前方に突出した脚部３が溶接等で固着されたもので、本体フレーム２は、上下の横フレーム２ａ，２ｂと左右の縦フレーム２ｃ，２ｄとからなり、脚部３は、横フレーム３ａ、左右の縦フレーム３ｂ，３ｃ、および脚部３を本体フレーム２に固着している上フレーム３ｄ，３ｅとから構成されている。また前記左右の縦フレーム２ｃ，２ｄの間は補強板２ｅで補強されており、左右の縦フレーム３ｂ，３ｃの間も補強板３ｆで補強されている。
【００１１】
また、本体フレーム２の縦フレーム２ｃ，２ｄの途中には上部の位置調整部４，５が設けられており、脚部３の横フレーム３ａの両端部には前記上部の位置調整部４，５と同等の長さを持つ下部の位置調整部６，７が立設されている。これら上部の位置調整部４，５と下部の位置調整部６，７には、それぞれ複数の位置調整孔４ａ，５ａ，６ａ，７ａが形成されており、これらの複数の位置調整孔４ａ，５ａ，６ａ，７ａの方向は、正面（遊戯用具Ｇの操作面）側を向くように統一されている。
【００１２】
前記上部の位置調整部４，５は同様の構造なので、一方の上部の位置調整部４のみについて詳述する。この上部の位置調整部４は、図３に示すように、断面クランク型に形成されたアングルが縦フレーム２ｃに溶接等で取り付けられており、この上部の位置調整部４には複数の位置調整孔４ａ，４ａ，・・・が形成されている。これらの複数の位置調整孔４ａ，４ａ，・・・は、上側の間隔が広く下側の間隔が狭い不等間隔に配設されており、これらの複数の位置調整孔４ａ，４ａ，・・・の中から１箇所の位置調整孔４ａと、後述する取り付け枠１０側の上部の取り付け部１５の取り付け孔１５ａが合わされて、ボルト８とナット９により螺着されるものである。
【００１３】
また、この上部の位置調整部４は、図３に示すように、縦フレーム２ｃとの間に形成される矩形の空間が接続フレーム１３の外形寸法に合わせてあり、この空間を接続フレーム１３がスライドするためのガイド部４ｂとなっている。同様にして、図２に示すように、位置調整部５にもガイド部５ｂが形成され、接続フレーム１４がガイド部５ｂをスライドできるようになっている。これらのガイド部４ｂおよびガイド部５ｂにより、取り付け枠１０の高さ位置調整をする場合は、取り付け枠１０を本体枠１より一旦取り外す必要がなく、そのままスライドさせて簡単に高さ位置調整をできるようにしてある。
【００１４】
また、下部の位置調整部６，７の構造は同様な構造なので、一方の下部の位置調整部６のみを説明する。この下部の位置調整部６は、図４に示すように、断面Ｌ型のアングルに形成された下部の位置調整部６が横フレーム３ａに立設されたもので、上端部を補強板３ｆに溶接等で固定されている。この下部の位置調整部６には、前面に複数の位置調整孔６ａ，６ａ，・・・が形成されており、これらの複数の位置調整孔６ａ，６ａ，・・・は上側の間隔が広く下側の間隔が狭い不等間隔に配設されている。これらの複数の位置調整孔６ａ，６ａ，・・・の中から１箇所の位置調整孔６ａと、後述する取り付け枠１０側の下部の取り付け部１７の取り付け孔１７ａが合わされて、ボルト８とナット９により螺着される。
【００１５】
一方、図２に示すように、本体枠１に上下高さ調整可能に取り付けられている取り付け枠１０は、箱状の上部フレーム１１と棚状の下部フレーム１２、およびこの上部フレーム１１と下部フレーム１２を接続する接続フレーム１３，１４とから構成されており、下部フレーム１２には脚フレーム１２ａ，１２ｂが垂下されている。この箱状の上部フレーム１１と棚状の下部フレーム１２の間には遊戯用具Ｇを保持して、遊戯用具Ｇの上端部を上部フレーム１１に固定し、遊戯用具Ｇの下端部を下部フレーム１２に固定するようになっている。
【００１６】
また、接続フレーム１３，１４の途中には、前記上部の位置調整部４，５に取り付けられる上部の取り付け部１５，１６が形成されており、下部フレーム１２には脚フレーム１２ａ，１２ｂにも前記下部の位置調整部６，７に取り付けられる下部の取り付け部１７，１８が形成されている。前記上部の取り付け部１５，１６は、同様の構造をしているので、一方の上部の取り付け部１５についてのみ説明する。この上部の取り付け部１５は、図３に示すように、接続フレーム１３に溶接等によって固定された金属板の上部の取り付け部１５であり、１箇所の取り付け孔１５ａが形成されている。そして、前記取り付け部１５の取り付け孔１５ａが、前記本体枠１の上部の位置調整部４に形成された複数の位置調整孔４ａ，４ａ，・・・の１箇所にボルト８とナット９により結合されるものである。
【００１７】
また、下部の取り付け部１７，１８は、同様の構造をしているので、一方の下部の取り付け部１７についてのみ説明する。図４に示すように、下部フレーム１２の脚フレーム１２ａに溶接等によって固定されＬ型に形成された金属板の取り付け部１７は、１箇所の取り付け孔１７ａが形成されており、この取り付け孔１７ａが、前記本体枠１の下部の位置調整部６に形成された複数の位置調整孔６ａ，６ａ，・・・の１箇所にボルト８とナット９により結合されるものである。
【００１８】
このように上部の位置調整部４，５と下部の位置調整６，７により、本体枠１の所定高さに取り付け枠１０が取り付けられた支持枠Ａは、図５に示すように、下部フレーム１２の上に載置板３０が取り付けられ、補強板２ｅには載置板３０に立設して後板３１が取り付けられている。また、上部フレーム１１の前面と下面を覆う化粧板３２が取り付けられ、脚フレーム１２ａ，１２ｂと縦フレーム３ｂ，３ｃで構成される面には隠し板３３が取り付けられている。そして、上部フレーム１１と下部フレーム１２との間の空間においてパチンコ台やパチスロ台、或いはテレビゲーム機等の遊戯用具Ｇが載置板３０に載置され、遊戯用具Ｇの上端部は上部フレーム１１に固定され、遊戯用具Ｇの下端部は下部フレーム１２に固定されるものである。
【００１９】
このように構成された支持枠Ａの高さを調整する場合は、図２に示すように、本体枠１の上部の位置調整部４，５および下部の位置調整部６，７の４箇所のボルト８とナット９を取り外し、取り付け枠１０の接続フレーム１３，１４を上部の位置調整部４，５のガイド部４ｂ，５ｂに沿ってスライドさせ、それぞれ所望の高さ位置の位置調整孔４ａ，５ａ，６ａ，７ａと取り付け部１５，１６，１７，１８の取り付け孔１５ａ，１６ａ，１７ａ，１８ａとを合わせ、４箇所をボルト８とナット９で螺着するものである。これらの４箇所の位置調整孔４ａ，５ａ，６ａ，７ａと取り付け孔１５ａ，１６ａ，１７ａ，１８ａは１箇所を合わせれば、他の３箇所は自動的に合うものである。このように支持枠Ａの高さを調整する場合は、本体枠１を何ら動かすことなく、取り付け枠１０のみをスライドさせて簡単に高さ位置調整が可能となる。
【００２０】
このように構成される支持枠Ａは、上部フレーム１１と下部フレーム１２により構成される空間に、遊戯用具Ｇが収納されて載置されるが、この載置される高さは、位置調整機構により簡単に調整することができるものである。そのため、パチンコ台とパチスロ台、或いはテレビゲーム機等の遊戯用具Ｇを交換する場合に、交換作業を容易に行うことが可能となる。
また、遊戯用具Ｇを保持している上部フレーム１１と下部フレーム１２の間は垂直支持平面を形成しており、遊戯用具Ｇの固定も上部フレーム１１で上端部を固定し、下部フレーム１２で下端部を固定しているので、支持枠Ａを単独或いは複数並列にして使用しても中間には何ら固定物がないので、遊戯用具Ｇは横方向の移動が自由にできるものである。
【００２１】
次に、遊戯用具の支持枠の他の実施の形態について説明する。なお、前述した実施の形態と同一部材には同一符号を付して説明は省略する。
図６に示す支持枠Ｂは、本体枠１の前後の両面に取り付け枠１０，１０を取り付けたもので、図７に示すように、遊戯用具Ｇを両面に取り付けることができるようになっている。
この支持枠Ｂは、図６に示すように、前側に支持枠Ａと同様に本体枠１に位置調整機構である４箇所の位置調整部４，５，６，７で取り付け枠１０を取り付け、後側にも面対称の４箇所の位置調整部４，５，６，７で取り付け枠１０を取り付けたものである。
【００２２】
このように構成された支持枠Ｂは、図７に示すように、前後で取り付け枠１０，１０の取り付けの高さ位置を変えることも可能であり、一方（前側）では立った状態で遊戯用具Ｇを操作する位置に取り付け、他方では坐った状態で遊戯用具Ｇを操作する位置に取り付けることも簡単にできるので、利便性が非常に高いものとなる。
【００２３】
また、図８および図９に示す支持枠Ｃは、本体枠２０の縦フレーム２１，２２を２本づつの縦フレーム２１ａ，２１ｂおよび２２ａ，２２ｂにしたもので、上部の位置調整部２３，２４をこの縦フレーム２１ａ，２１ｂおよび２２ａ，２２ｂの間に独立させて設けたもので、それぞれ複数の位置調整片２３ａ，２３ｂ，２３ｃ，２３ｄおよび２４ａ，２４ｂ，２４ｃ，２４ｄを縦フレーム２１，２２上端部より下端部にかけて設けたものである。これに対応する取り付け枠２５の上部の取り付け部２６，２７も上部フレーム２８の側面に設けたものである。
【００２４】
このように構成された支持枠Ｃは、本体枠２０の縦フレーム２１，２２を２本ずつにしているので、強度的に優れており、例えば、この支持枠Ｃにパチンコ台を取り付け、上部フレーム２８をパチンコ玉の搬送樋としても使用できる強度を持つものである。
また、上部の位置調整部２３，２４が縦フレーム２１，２２の上部から下部まで設けてあるので、高さ位置の調整範囲が広く、異なった形態の様々な寸法を持つ遊戯用具に対応できるものである。
【００２５】
尚、図６に示す支持枠Ｂは、図示しない取り付け部材を介して本体枠１の脚部３を前後方向に離間移動することも可能であり、これにより取り付け枠１０も前後方向に調整することが可能となり、取り付け枠１０に取り付けられる遊戯用具Ｇの互いの前後位置も、遊戯場の配置に合わせて最も適正な位置に調整できるものである。
【００２６】
【発明の効果】
本発明は、上記のように構成されたので、以下に示すような優れた効果を奏するものである。
▲１▼  支持枠は、パチンコ台やパチスロ台、或いはテレビゲーム機等の遊戯用具を載置する取り付け枠が高さ位置調整機構により自在に移動できるため、パチンコ台とパチスロ台、或いはテレビゲーム機等を交換する場合に、交換作業を容易に行うことが可能になる。そして、支持枠に既に支持していた遊戯用具の高さ位置を調整する場合も位置調整機構により簡単に行うことができる。
▲２▼  また、支持枠に設けた位置調整機構は、正面側から操作することができるので、操作が簡単である。
▲３▼  また、支持枠の本体枠は垂直支持平面を有しており、取り付け枠の上部フレームおよび下部フレームが遊戯用具の上端および下端を保持するため、遊戯用具を横方向に移動させる場合にも障害となるものがないので、横方向への移動も簡単におこなうことができる。
▲４▼  また、支持枠は簡単な構造なので、新たに設置する場合も設置作業を簡単に行うことができ、作業時間を短縮して遊戯場の新装開店や遊戯用具の入替え等に効果を発揮することができる。
▲５▼  また、支持枠は、金属製等の枠で決められた構造なので、予め工場等で組み立て後、現場で設置することが可能となり、設置する現場における作業労力の軽減と設置時間の短縮を図ることができる。
▲６▼  また、支持枠の前後に遊戯用具を配置するものは、１個の支持枠に４台の遊戯用具を配置することができ、設置を効率的に行うことができる。
▲７▼  さらに、縦フレームを２本備えた支持枠は、強度的に優れ、しかも上部フレーム間の空間を利用してパチンコ玉の搬送樋に使用できるので、機能的に優れたものとすることができる。
【図面の簡単な説明】
【図１】本発明に係る遊戯用具の支持枠を示す斜視図である。
【図２】図１の支持枠の分解斜視図である。
【図３】図１の支持枠の上部の位置調整部を示す要部拡大の斜視図である。
【図４】図１の支持枠の下部の位置調整部を示す要部拡大の斜視図である。
【図５】図１の支持枠に遊戯用具を配設した状態を示す斜視図である。
【図６】支持枠の他の実施の形態を示す斜視図である。
【図７】図６の支持枠に遊戯用具を配設した状態を示す側面図である。
【図８】支持枠の他の実施の形態を示す斜視図である。
【図９】図８の支持枠の分解斜視図である。
【符号の説明】
Ａ      支持枠
Ｂ      支持枠
Ｃ      支持枠
１      本体枠
２      本体フレーム
３      脚部
４      上部の位置調整部
５      上部の位置調整部
６      下部の位置調整部
７      下部の位置調整部
８      ボルト（係合手段）
９      ナット（係合手段）
１０      取り付け枠
１１      上部フレーム
１２      下部フレーム
１３      接続フレーム
１４      接続フレーム
１５      上部の取り付け部
１６      上部の取り付け部
１７      下部の取り付け部
１８      下部の取り付け部
１９      取り付け板
２０      本体枠
２１      縦フレーム
２２      縦フレーム
２３      上部の位置調整部
２４      上部の位置調整部
２５      取り付け枠
２６      上部の取り付け部
２７      上部の取り付け部
２８      上部フレーム
３０      載置板
３１      後板
３２      化粧板
３３      隠し板
【図１】
0003598488.tif 000002
【図２】
0003598488.tif 000003
【図３】
0003598488.tif 000004
【図４】
0003598488.tif 000005
【図５】
0003598488.tif 000006
【図６】
0003598488.tif 000007
【図７】
0003598488.tif 000008
【図８】
0003598488.tif 000009
【図９】
0003598488.tif 000010